(57)【特許請求の範囲】
【請求項１】
撮影イメージの生成方法であって、
照度値を測定するステップと、
一つの最終イメージ生成に使用される、前記照度値が小さいほど多くの個数のソースイメージを獲得するステップであって、前記照度値が小さいほどイメージセンサの利得が高く、露出時間が短いソースイメージを獲得するステップと、
前記測定した照度値に基づき、前記獲得した複数のソースイメージのうち、明るさとブラーの各々に設定された加重値を適用して計算される最高値を有するイメージである最高クオリティを有する一つのソースイメージを選択するか、又は、前記獲得した複数のソースイメージの相互に対応するピクセル値を平均化して結合するか、のいずれかの方法を選択することにより、設定された最終イメージを生成するステップと、
を有し、
前記測定した照度値が設定された第１のしきい値以上である場合、前記方法は、前記最高クオリティを有する一つのソースイメージを選択し、
前記測定した照度値が設定された第１のしきい値未満であり、前記第１のしきい値より小さい第２のしきい値以上である場合、前記方法は、獲得した複数のソースイメージからエッジ領域を識別し、同一のエッジが同一の座標上に位置するように座標補正を遂行し、前記獲得した複数のソースイメージを結合することによって前記最終イメージを生成し、
前記測定した照度値が前記第１のしきい値より小さい第２のしきい値未満である場合、前記獲得した複数のソースイメージに対する補正は明るさ補正だけを遂行し、
前記第１のしきい値は、前記露出時間と前記イメージセンサの利得に基づいて設定されることを特徴とする方法。
【請求項２】
前記獲得した複数のソースイメージを結合するステップは、前記獲得した複数のソースイメージに対するノイズ補正を遂行するステップを含むことを特徴とする請求項１に記載の方法。
【請求項３】
各ソースイメージが獲得されたとき、前記獲得したソースイメージの振れ程度を判断し、前記振れ程度が設定範囲を超える場合に一つ以上の該当ソースイメージを削除するステップと、
前記削除されたソースイメージの個数分のソースイメージを追加的に獲得するステップと、
をさらに有することを特徴とする請求項１に記載の方法。
【請求項４】
前記振れの判断は、それぞれのソースイメージを獲得するための露出区間で獲得したセンシング情報に基づいて実行されることを特徴とする請求項３に記載の方法。
【請求項５】
前記最終イメージを生成するために使用される選択した露出値（ＥＶ）を受信するステップと、
前記選択された露出値に基づいて獲得するために前記ソースイメージの個数を決定するステップと、
をさらに有することを特徴とする請求項１に記載の方法。
【請求項６】
前記最終イメージを生成するために使用される選択した露出値（ＥＶ）を受信するステップと、
前記選択した露出値に基づいて前記獲得した複数のソースイメージの各々に対する明るさ補正を遂行するステップと、
をさらに有することを特徴とする請求項１に記載の方法。
【請求項７】
撮影イメージを生成する装置であって、
照度値を測定する照度測定部と、
一つの最終イメージを生成するために使用される、前記照度値が小さいほど多くの個数のソースイメージを獲得し、前記照度値が小さいほどイメージセンサの利得が高く、露出時間が短いソースイメージを獲得するように構成されるイメージ獲得部と、
前記測定した照度値に基づき、前記獲得した複数のソースイメージの相互に対応するピクセル値を平均化して結合するか、又は前記獲得した複数のソースイメージのうち、明るさとブラーの各々に設定された加重値を適用して計算される最高値を有するイメージである最高クオリティを有する一つのソースイメージを選択するか、のいずれかの方法を選択することによって、最終イメージを生成するように構成される制御部と、
を含み、
前記測定した照度値が設定された第１のしきい値以上である場合、前記方法は、前記最高クオリティを有する一つのソースイメージを選択し、前記測定した照度値が設定された第１のしきい値未満であり、前記第１のしきい値より小さい第２のしきい値以上である場合、前記方法は、獲得した複数のソースイメージからエッジ領域を識別し、同一のエッジが同一の座標上に位置するように座標補正を遂行し、前記獲得した複数のソースイメージを結合することによって前記最終イメージを生成し、
前記測定した照度値が前記第１のしきい値より小さい第２のしきい値未満である場合、前記獲得した複数のソースイメージに対する補正は明るさ補正だけを遂行し、
前記第１のしきい値は、前記露出時間と前記イメージセンサの利得に基づいて設定されることを特徴とする装置。
【請求項８】
前記制御部は、
前記獲得した複数のソースイメージに対するノイズ補正を遂行するように構成されることを特徴とする請求項７に記載の装置。
【請求項９】
前記制御部は、
それぞれのソースイメージが獲得されるたびに、前記獲得したソースイメージの振れ程度を判定し、振れ程度が設定範囲を超える場合には、一つ以上の該当ソースイメージを削除し、前記削除したソースイメージの個数分のソースイメージを追加的に獲得するように構成されることを特徴とする請求項７に記載の装置。
【請求項１０】
前記振れ程度を判定するためのセンシング情報を出力するように構成されるセンサ部をさらに含み、
前記制御部は、それぞれのソースイメージを獲得するための露出区間で前記センサ部から受信されるセンシング情報に基づいて前記振れ程度を判断するように構成されることを特徴とする請求項９に記載の装置。
【請求項１１】
前記制御部は、
前記最終イメージを生成するために使用される露出値（ＥＶ）を受信し、前記選択された露出値に基づいて獲得される前記ソースイメージの個数を決定するように構成されることを特徴とする請求項７に記載の装置。
【請求項１２】
前記制御部は、
前記最終イメージを生成するために使用される露出値（ＥＶ）を受信し、前記選択された露出値に基づいて前記獲得した複数のソースイメージの各々に対する明るさ補正を遂行するように構成されることを特徴とする請求項７に記載の装置。
【発明の詳細な説明】
【技術分野】
【０００１】
本発明は撮影イメージを生成する方法及び装置に関する。
【背景技術】
【０００２】
低照度環境で撮影が遂行される場合、暗い撮影イメージが生成されて撮影オブジェクトを認識することが難しい。従来技術では、低照度環境で基準明るさに類似した明るさを有する撮影イメージを生成するために、受動的に又は自動的に露出時間を増加させるか、あるいはイメージセンサの利得を増加させる方法が使用される。
露出時間を増加させる方法は、カメラの振れ（wobbling）又は被写体の動きによるブラー（blur）を引き起こし、それによって撮影イメージのクオリティの劣化をもたらすという問題があった。一方、イメージセンサの利得を増加させる方法は、入射光だけでなく、イメージセンサ自体で発生するノイズも増加させ、また撮影イメージのクオリティ劣化を招くという問題もあった。
したがって、低照度環境で鮮明で明るい撮影イメージを獲得できる方案が要求される。
【発明の概要】
【発明が解決しようとする課題】
【０００３】
したがって、本発明は、上記した従来技術の問題点に鑑みてなされたものであって、その目的は、鮮明な撮影イメージを獲得する方法を提供することにある。
本発明の別の目的は、イメージセンサの利得が高くなる場合でも鮮明な撮影イメージを獲得する方法を提供することにある。
さらに、本発明の目的は、低照度環境で鮮明で明るい撮影イメージを獲得する方法を提供することにある。
【課題を解決するための手段】
【０００４】
上記のような目的を達成するために、本発明の一態様によれば、撮影イメージの生成方法が提供される。その方法は、照度値を測定するステップと、一つの最終イメージ生成に使用される複数のソースイメージを獲得するステップと、測定した照度値に基づき、獲得した複数のソースイメージのうち最高クオリティを有する一つのソースイメージを選択するか、又は獲得した複数のソースイメージを結合することにより設定された最終イメージを生成するステップとを有する。
【０００５】
また、本発明の別の態様によれば、撮影イメージを生成する装置が提供される。その装置は、照度値を測定する照度測定部と、一つの最終イメージを生成するために使用される複数のソースイメージを獲得するように構成されるイメージ獲得部と、測定した照度値に基づき、獲得した複数のソースイメージを結合するか、又は獲得した複数のソースイメージのうち最高クオリティを有する一つのソースイメージを選択することによって、最終イメージを生成するように構成される制御部とを含む。
【０００６】
一方、本発明一実施形態による読み取り可能な記録媒体において、照度値を測定し、一つの最終イメージ生成に使用される複数のソースイメージを獲得し、測定した照度値に基づき、獲得した複数のソースイメージのうち最高クオリティを有する一つのソースイメージを選択するか、又は獲得した複数のソースイメージを結合することによって設定された最終イメージを生成するためのプログラムが記録される。
【０００７】
本発明の詳細な説明に先立ち、本明細書の全般で使われる用語や語句を定義する。「〜を含む（include）」、「〜からなる（comprise）」だけでなく、それらの派生語は、限定のない包含を意味する。「または（or）」は、及び／または（and/or）を含み、「〜に関連する（associated with）」、「それに関連する（associated therewith）」、及びそれらの派生語句は、包含（include）、含まれる（be included within）、受容される（be contained within）、連結（connect to or with）、接続（couple to or with）、通信（be communication with）、協力（cooperate with）、相互配置（interleave）、並置（juxtapose）、近接（be approximate to）、結合（be bound to or with）、所有（have）、性質の所有（have a property of）、または類以（the like）を意味し、「制御器（controller）」は、少なくとも一つの動作を制御する装置、システム、またはその部分を意味し、そのような装置は、ハードウェア、ファームウェア、ソフトウェア、またはこれらのうちの少なくとも二つの組み合わせで具現することができる。特定の制御器に関連する機能は、集中しているか、あるいは局地的にまたは遠距離に分散されることもある。特定の用語及び語句が本明細書の全体で使用されるが、当業者は、多くの場合に上述したような定義が過去だけでなく未来の使用にも適用されることを理解しなければならない。
【発明の効果】
【０００８】
本発明は、低照度環境で鮮明で明るい撮影イメージを獲得することができる効果がある。
本発明のより完全な理解及びそれに従う利点は、添付された図面とともに考慮すれば、後述する詳細な説明を参照してより容易に理解できる。また上記図面で同一の参照番号は同一の構成要素を示す。
【図面の簡単な説明】
【０００９】
【図１】本発明の実施形態による撮影イメージ生成方法の概念の一例を示すフローチャートである。
【図２Ａ】本発明の実施形態による撮影イメージ生成方法の概念の例を示すグラフである。
【図２Ｂ】本発明の実施形態による撮影イメージ生成方法の概念の例を示すグラフである。
【図３Ａ】本発明の実施形態による撮影イメージ生成方法の例を示す図である。
【図３Ｂ】本発明の実施形態による撮影イメージ生成方法の例を示す図である。
【図４】本発明の実施形態による撮影イメージ生成方法の例を示す図である。
【図５Ａ】本発明の実施形態による撮影イメージ生成方法の例を示す図である。
【図５Ｂ】本発明の実施形態による撮影イメージ生成方法の例を示す図である。
【図６】本発明の実施形態による撮影イメージ生成方法の例を示す図である。
【図７】本発明の実施形態による撮影イメージ生成方法の例を示す図である。
【図８】本発明の実施形態による撮影イメージ生成のための装置を示すブロック構成図である。
【発明を実施するための形態】
【００１０】
後述される図１〜図８、及び本発明の原理を説明するために使用される多様な実施形態は、単にその実施例を示すものに過ぎず、本発明の範囲を限定するものとして捉えてはならない。本発明の原理が適切に配列された電子デバイスで実現できることは、当該技術分野で通常の知識を有する者には明らかである。本発明の以下の説明では、本明細書に組み込まれる公知の機能又は構成の詳細な説明は、本発明の要旨を不明にする可能性がある場合に省略されることがある。
【００１１】
上記したように、低照度環境で基準明るさに類似した明るさを有する撮影イメージを獲得するために露出時間を増加させる従来の方法は、カメラの振れがイメージのクオリティを劣化させるという問題点があった。さらに、イメージセンサの利得を増加させる従来の方法は、イメージセンサ自体により発生するノイズの増加によるクオリティ劣化が発生するという問題点があった。
したがって、本発明では、クオリティ劣化なしに基準明るさと類似した明るさを有する撮影イメージを生成する方式を提供する。
以下、本発明の望ましい実施形態を添付の図面を参照して詳細に説明する。
【００１２】
まず、図１〜図２Ｂを参照して、本発明の実施形態による撮影イメージ生成方法の概念について説明する。
ステップ１０２において、撮影イメージ生成装置は、照度値を測定する。例えば、照度値は、プレビュー（preview）モードで測定され得る。
ステップ１０４において、撮影イメージ生成装置は、一つの最終イメージ、すなわち一つの撮影イメージを生成するための複数のソースイメージを獲得する。これは、図２Ａ及び図２Ｂを参照して従来技術と比較して次に説明される。図２Ａは、低照度環境で基準明るさと類似した明るさを有する撮影イメージの生成のために露出時間ｔｐを長くする従来の方法を示す。図２Ａに示すような従来の方法によれば、撮影イメージ生成装置は、低照度環境で一つの撮影イメージ生成のために一つのソースイメージ２０２を獲得する。上記のような従来の方法は、露出時間によってブラーが生成されて撮影イメージのクオリティを劣化させるという問題があった。
【００１３】
一方、図２Ｂは、一つの撮影イメージ生成のために複数のソースイメージ２０２ａ〜２０２ｎを獲得する本発明の一実施形態を示す。本発明の実施形態では、長い露出時間ｔｐの間に一つのソースイメージ２０２を獲得する従来方法と異なり、短い露出時間ｔ１の間に複数のソースイメージ２０２ａ〜２０２ｎを獲得し、この獲得したソースイメージを用いて一つの撮影イメージを生成する。図２Ａに示すような従来技術と比較すると、全体露出時間ｔｐ＝ｎｔ１＋（ｎ−１）ｔ０である。ここで、ｔ１は、それぞれのソースイメージの獲得のための露出期間であり、ｔ０は、２つの露出期間の間の時間間隔である。さらに、‘ｎ’は、最終イメージを生成するために獲得されるソースイメージの個数を意味し、獲得されたソースイメージの個数は設定に従って異なることがある。
【００１４】
ステップ１０６において、撮影イメージ生成装置は、測定された照度値に基づいて、獲得されたソースイメージに対する補正が必要であるか否かを判定する。ここで、補正に対する必要性は、測定された照度値と設定された第１のしきい値に基づいて判定され得る。例えば、測定された照度値が設定された第１のしきい値以上である場合、補正が必要でないと判定される。測定された照度値が設定された第１のしきい値より小さい場合には、補正が必要であると判定される。ここで、第１のしきい値は、露出時間とイメージセンサの利得を考慮して設定され得る。例えば、基準明るさに類似した明るさを有する撮影イメージの生成が可能な照度値は、撮影イメージ生成装置によりサポート可能な短い露出時間と低いイメージセンサの利得を用いて、第１のしきい値に設定することができる。
【００１５】
ステップ１０６の判定結果として補正が必要でないという判断に基づいて進行されるステップ１０８において、撮影イメージ生成装置は、複数のソースイメージのうち最高クオリティの一つのソースイメージを用いて最終イメージを生成する。ここで、最高クオリティソースイメージは、獲得した複数のソースイメージのうち、最も明るいイメージ又は最低ブラーを有するイメージであるか、あるいは明るさとブラーの各々に設定された加重値を適用して計算される最高値を有するイメージであり得る。最終イメージ生成に使用される一つのソースイメージが選択される場合、撮影イメージ生成装置は、選択されたソースイメージを除外した他のソースイメージを全部廃棄する。
ステップ１０８による撮影イメージの生成方法により、十分な明るさの撮影イメージを獲得できる照度環境では、短い露出時間を用いて獲得する一つのソースイメージのみを用いて明るくて鮮明なイメージを獲得できる。
【００１６】
一方、ステップ１０６の判定結果、補正が必要であるという判断に基づいて進行されるステップ１１０において、撮影イメージ生成装置は、獲得した複数のソースイメージを結合することによって最終イメージ、すなわち撮影イメージを生成する。さらに、撮影イメージ生成装置は、複数のソースイメージの結合時に設定された補正のうち少なくとも一つを遂行する。ここで、設定された補正は、振れ補正、ノイズ補正、及び明るさ補正のうち少なくとも一つを含む。このとき、明るさ補正は、照度レベルが非常に低い場合のみに遂行することができる。例えば、明るさ補正は、測定した照度値が設定された第１のしきい値より小さい第２のしきい値未満である場合のみに遂行することができる。
ステップ１１０による撮影イメージの生成方法によれば、低照度環境で獲得した複数のソースイメージを結合することによって明るくて鮮明なイメージを獲得できる利点がある。
【００１７】
以上、図１及び図２を参照して本発明の実施形態による撮影イメージ生成方法の概念について説明した。以下に、関連する図面を参照して、照度値に基づいて撮影イメージ生成方法をより詳細に説明する。
【００１８】
図３Ａ及び図３Ｂは、測定した照度値が設定される第１のしきい値以上である場合の撮影イメージ生成方法の例を示すグラフである。
まず、撮影イメージ生成装置は、ソースイメージを獲得する以前に照度値を測定する。その後、撮影イメージ生成装置は、照度値に関連した設定事項に基づいてソースイメージを獲得する。このような設定事項は、照度値に対して予めマッピングされて格納することができる。一つの最終イメージ、すなわち撮影イメージを生成するために獲得されるソースイメージの個数は、測定した照度値によって変わることができる。例えば、図４に示すように、測定した照度値が第１のしきい値１０以上である場合、３個のソースイメージが獲得されるように設定される。さらに、測定した照度値が第１のしきい値１０未満である場合には６個のソースイメージを獲得するように設定される。また、測定した照度値が第１のしきい値１０より大きい場合、サブステップに分け、獲得されるソースイメージ数をそのサブステップに従って調節できる。例えば、測定した照度値が１０以上１５未満である場合には、３個のソースイメージを、測定した照度値が１５以上２０未満である場合には２個のソースイメージを獲得するように設定できる。
さらに、このような設定事項は、照度値に関連したイメージセンサの利得と露出時間を制御できる。例えば、図４に示すように、照度値が低いほどイメージセンサの利得は高く、露出時間は短くなるように設定できる。
【００１９】
図３Ｂは、測定した照度値が第１のしきい値以上である場合に３個のソースイメージ３０２ａ，３０２ｂ，３０２ｃが獲得される一例を示す。
上記したように、本発明の実施形態で、測定した照度値が第１のしきい値以上である場合には補正が遂行されない。測定した照度値が第１のしきい値以上である場合には、露出時間が短くて振れ補正が必要でなく、イメージセンサの利得も低く設定されるため、ノイズ除去のための補正が必要でないためである。
【００２０】
したがって、このような場合、撮影イメージ生成装置は、撮影されたソースイメージのうち最高クオリティ又は最高明るさを有する一つのソースイメージ３０２ｂを選択し、選択されたソースイメージ３０２ｂを用いて最終イメージを生成する。さらに、撮影イメージ生成装置は、選択されない他のソースイメージ３０２ａ，３０２ｃを廃棄する。ソースイメージのクオリティは、それぞれのソースイメージに対応するブラーに基づいて判定することができる。例えば、撮影イメージ生成装置は、各ソースイメージのブラーを測定した後、最低ブラーを有するソースイメージを選択できる。あるいは、一つのソースイメージは、明るさに基づいて選択することができる。例えば、撮影イメージ生成装置は、それぞれのソースイメージの明るさを測定した後、最高明るさを有するソースイメージを選択できる。さらに、撮影イメージ生成装置は、ブラーと明るさ両方ともを考慮して一つのソースイメージを選択できる。例えば、次の＜式１＞からわかるように、撮影イメージ生成装置は、明るさ（Ｙ）とブラー（Ｂ）の各々に設定される加重値ｗ１，ｗ２を適用して最高クオリティ（Ｓ）を有するソースイメージを選択できる。
Ｓ＝Ｙｘｗ１−Ｂｘｗ２      （１）
【００２１】
図３Ａ及び図３Ｂを参照して説明した実施形態によれば、光量が十分な状態で、撮影イメージ生成装置は、短い露出時間を用いて撮影イメージを生成するため、振れによるクオリティ劣化がなく、明るい撮影イメージを生成できる。このような場合、イメージセンサの利得は低く設定され、それによってイメージセンサによるノイズが減少するようになる。
【００２２】
図３Ａ〜図４を参照して、光量が十分な状態で獲得したソースイメージを用いて補正なしに明るくて鮮明な撮影イメージを生成する方法について説明した。以下、関連した図面を参照して、低照度環境で撮影イメージを生成する方法に関して説明する。
【００２３】
図５Ａ及び図５Ｂは、測定した照度値が第１のしきい値より小さい場合の撮影イメージ生成方法の例を示すグラフである。
図５Ａに示すように、測定した照度値が第１のしきい値より小さい場合、撮影イメージ生成装置は、図４に示したように設定事項を参照してソースイメージを獲得する。例えば、撮影イメージ生成装置は、測定した照度値が第１のしきい値より小さい場合に比べてより多くのソースイメージを獲得すること、あるいはイメージセンサの利得を増加させるか、又は露出時間を長くすることによってソースイメージを獲得できる。図５Ｂは、６個のソースイメージを獲得する一例を示すグラフである。ここで、各ソースイメージを獲得するための露出時間は、図３を参照して説明した実施形態での露出時間より長いと仮定する。
【００２４】
露出時間の増加により、それぞれのソースイメージには撮影イメージ生成装置の振れによるブラーが発生する。したがって、撮影イメージ生成装置は、ブラーを除去するために振れ補正を遂行する。
振れ補正のために、撮影イメージ生成装置は、獲得した複数のソースイメージからエッジ領域を識別し、同一のエッジが同一の座標上に位置するように座標補正を遂行する。エッジ領域は、従来技術で使用される多様な方法、例えばソーベルオペレータ（Sobel  operator）、キャニーエッジ検出器（Canny  edge  detector）、及びラプラシアン（Laplacian）のようなエッジ検出フィルタを使用する方法を通じて決定することができる。エッジ領域が決定される場合、撮影イメージ生成装置は、該当エッジ領域に基づいて最低ブラーを有する一つのソースイメージを基準イメージとして選択し、選択したイメージに基づいて残りのソースイメージの座標を補正して振れ補正を遂行する。
【００２５】
一方、測定した照度値が第１のしきい値未満である場合、ソースイメージの獲得のための設定事項は、イメージセンサの利得を増加させるように規定できる。この場合、イメージセンサによるノイズがそれぞれのソースイメージに発生することがある。
ノイズは、獲得した複数のソースイメージを結合することによって低減又は削除され得る。イメージセンサによるノイズは、図５Ｂに示すようにランダム位置５２２ａ，５２２ｂで発生する。したがって、ノイズは、複数のソースイメージ結合の際に低減又は除去できる。その理由は、複数のソースイメージが結合される場合に相互に対応する位置のピクセル値が平均化されるためである。例えば、図５Ｂに示すように、６個のソースイメージのうち２個の異なるソースイメージ上に異なる位置で、２個のノイズ５２２ａ，５２２ｂが発生されると仮定すると、ソースイメージが結合される場合にそれぞれのノイズ５２２ａ，５２２ｂは、１／６に減少する。
【００２６】
図５を参照して説明した本発明の実施形態によると、複数のソースイメージに対する振れ補正を遂行してこれらを結合することによって鮮明な撮影イメージを獲得できる。
また、イメージセンサの利得を増加して撮影が遂行される場合でも、撮影イメージ生成装置は、それぞれのソースイメージにランダムに発生するノイズを効果的に低減でき、それによって従来の方法に比べて鮮明な撮影イメージが得られる。したがって、本発明は、従来技術で使用できない高い利得を用いて撮影を遂行可能であるという利点がある。
【００２７】
一方、測定した照度値が非常に低い場合には、明るさ補正は、追加的に遂行可能であり、これは図６を参照して説明する。図６は、測定した照度値が第２しきい値未満である場合に撮影イメージを生成する一例を示すグラフである。
上記したように、測定した照度値が第２のしきい値未満である場合、明るさ補正は、基準明るさと類似した明るさを得るために遂行される。このような明るさ補正は、図５を参照して説明したように、振れ補正及びノイズ補正のうち少なくとも一つの補正に加えて遂行できる。上記の実施形態により、明るさ補正のみが振れ補正及びノイズ補正なしに遂行され得る。
【００２８】
ヒストグラム平坦化（historgram  equalization）、レティネックス（Retinex）技術、コントラストストレッチング（Contrast  Stretching）技術のような多様な方法が明るさ補正に使用される。さらに、撮影イメージ生成装置は、各ソースイメージに設定された加重値を適用してこのソースイメージを結合することによって向上した明るさを有する最終イメージ、すなわち撮影イメージを獲得できる。加重値は、基準明るさに類似した明るさを獲得するために適用され、それぞれのソースイメージに適用される加重値は、相互に異なるように設定され得る。例えば、獲得した複数のソースイメージのうち、最高加重値は、最低ブラーを有するソースイメージに適用され、最低加重値は、最高ブラーを有するソースイメージに適用できる。このソースイメージに適用されるすべての加重値の平均値は、基準明るさ又はこれに類似した明るさが獲得される範囲内で決定することができる。
図６を参照して説明した実施形態によると、測定した照度値が非常に低い場合でも、明るくて鮮明な撮影イメージを生成できる利点がある。
【００２９】
一方、ソースイメージの獲得中に、撮影イメージ生成装置の振れにより、激しいブラーを有するソースイメージが獲得され得る。したがって、上記のようなソースイメージは、廃棄することが望ましい。このような撮影イメージ生成装置の振れは、ジャイロにセンサ又は加速度センサを用いて測定できる。例えば、図７に示すように、ソースイメージ獲得のための露出区間のうちいずれか一つの露出区間７１２ｃで撮影イメージ生成装置の振れを判断する測定値Ｍ１が設定値Ｍ０より大きい場合、撮影イメージ生成装置は、該当露出区間７１２ｃで獲得したソースイメージ７０２ｃを廃棄できる。さらに、撮影イメージ生成装置は、廃棄したソースイメージの個数だけの新たなソースイメージ７０２ｄをさらに獲得できる。実施形態により、撮影イメージ生成装置の振れは、それぞれのイメージソースを獲得するたびに判定されるか、あるいは全体ソースイメージを獲得した後に補正が要求されるか否かを判定する以前に判定されることができる。
【００３０】
以上、図１〜図７を参照して、本発明の実施形態による撮影イメージ生成方法について説明した。以下、本発明の実施形態による撮影イメージ生成装置について関連図面を参照して詳細に説明する。
【００３１】
図８は、本発明の実施形態による撮影イメージ生成装置を示すブロック構成図である。
図８を参照すると、本発明の実施形態による撮影イメージ生成装置は、制御部８１０、照度測定部８２０、イメージ獲得部８３０、センサ部８４０、メモリ部８５０、入力部８６０、及びディスプレイ部８７０を含む。
【００３２】
制御部８１０は、撮影のための信号が入力される場合、照度測定部８２０を制御して照度測定部８２０から照度値を受信する。さらに、制御部８１０は、受信された照度値及び設定されたしきい値に基づいて設定された最終イメージ生成方法のうちいずれか一つの方法を選択することにより、最終イメージ、すなわち撮影イメージを生成する。ここで、最終イメージ生成方法は、測定した照度値が設定された第１のしきい値以上である場合に獲得された複数のソースイメージのうちいずれか一つのソースイメージのみを用いて最終イメージを生成する第１の方法、測定した照度値が設定された第１のしきい値未満で、かつ第２のしきい値以上である場合、獲得した複数のソースイメージに対する振れ補正及びノイズ補正のうち少なくとも一つの補正を遂行し、複数のソースイメージを結合して最終イメージを生成する第２の方法、及び測定した照度値が設定された第２のしきい値未満である場合に明るさ補正を遂行する第３の方法を含む。第３の方法は、獲得した複数のソースイメージに対する振れ補正及びノイズ補正を含むことができる。
【００３３】
制御部８１０は、測定した照度値が第１のしきい値以上である場合、獲得した複数のソースイメージのうち最高クオリティを有する一つのソースを用いて最終イメージを生成する。ここで、最高クオリティのソースイメージは、最低ブラー及び最高明るさを有するソースイメージであるか、あるいはブラー及び明るさの各々に設定された加重値を適用して計算した最高値を有するソースイメージであり得る。
【００３４】
制御部８１０は、測定した照度値が設定された第１のしきい値未満である場合、獲得した複数のソースイメージを結合して最終イメージを生成する。このとき、制御部８１０は、複数のソースイメージに対する振れ補正及びノイズ補正のうち少なくとも一つの補正を遂行することができる。
【００３５】
制御部８１０は、測定した照度値が設定された第２のしきい値未満である場合、獲得した複数のソースイメージを結合して最終イメージを生成する。このとき、制御部８１０は、複数のソースイメージに対する明るさ補正を遂行するか、あるいは複数のソースイメージを結合した以後に明るさ補正を遂行することができる。上記した明るさ補正は、複数のソースイメージに対する振れ補正及びノイズ補正のうち少なくとも一つの補正とともに遂行され得る。
【００３６】
一方、制御部８１０は、メモリ部８５０に格納されている設定事項を参照してソースイメージを獲得する。設定事項は、照度値に関連した基準を規定する。例えば、設定事項は、それぞれの照度区間で獲得されるソースイメージの個数、イメージセンサの利得、及び露出時間のうち少なくとも一つを規定する。したがって、制御部８１０は、照度測定部８２０から受信した照度値とメモリ部８５０に格納されている設定事項を参照してソースイメージを獲得する。
【００３７】
一方、制御部８１０は、各ソースイメージが獲得されるたびにそれぞれのソースイメージを獲得するための露出区間で撮影イメージ生成装置の振れが設定値以上発生するか否かを判定する。撮影イメージ生成装置の振れが設定値以上発生したと判定される場合、制御部は、該当露出区間で獲得したソースイメージを廃棄できる。このとき、制御部８１０は、廃棄したソースイメージの個数分の新たなソースイメージをさらに獲得できる。撮影イメージ生成装置の振れは、センサ部８４０から獲得されるセンシング情報によって判定され得る。
【００３８】
一方、制御部８１０は、ユーザーにより選択された最終イメージに対する明るさを受信することができる。例えば、ユーザーは、入力部８６０を通じてメニューの操作で露出値（ＥＶ）を選択できる。したがって、制御部８１０は、選択された露出値に基づいて最終イメージを生成するために獲得されるソースイメージの個数、露出時間、及びセンサイメージの利得のうち少なくとも一つを調整することができる。例えば、制御部８１０は、低い露出値が選択される場合にはより少ない数のソースイメージを獲得できる。その反面、高い露出値が選択される場合にはより多くの数のソースイメージを獲得できる。このような設定事項は、それぞれの露出値にマッピングされる状態でメモリ部８５０に格納され得る。
【００３９】
照度測定部８２０は、制御部８１０の要請によって照度を測定して制御部８１０に伝送する。
イメージ獲得部８３０は、制御部８１０の制御下に一つの最終イメージの生成に使用される複数のソースイメージを獲得する。
センサ部８４０は、撮影イメージ生成装置の振れを判断できる情報を感知して制御部８１０に伝送する。例えば、このセンシング情報は、撮影イメージ生成装置の傾き変化情報又は加速度情報であり得る。したがって、センサ部８４０は、ジャイロセンサ及び加速度センサのうち少なくとも一つを含むことができる。一実施形態により、このセンシングは、各ソースイメージの獲得のための露出区間で遂行され得る。
【００４０】
メモリ部８５０は、一つの最終イメージの生成のための設定事項を格納する。例えば、メモリ部８５０は、ソースイメージに対する振れ補正及びノイズ補正が必要であるか否かを判定するのに使用される第１のしきい値と、明るさ補正が必要であるか否かを判定するのに使用される第２のしきい値を格納する。
また、メモリ部８５０は、それぞれの照度区間で、獲得されるソースイメージの個数、センサイメージの利得、及び露出時間のうち少なくとも一つの設定事項をマッピングして格納する。さらに、メモリ部８５０は、最終イメージ生成のための設定事項をそれぞれの露出値にマッピングして格納することができる。また、メモリ部８５０は、生成された最終イメージ、すなわち撮影イメージを格納する。
【００４１】
入力部８６０は、ユーザーの要請によって撮影準備及び開始に対する信号を生成して制御部８１０に送信する。加えて、入力部８６０は、最終イメージの生成に使用される露出値を受信するために使用される。
ディスプレイ部８７０は、プレビューモードでイメージを出力し、露出値選択のような各種ガイド画面を表示する。
【００４２】
以上、測定された照度値と設定されたしきい値を比較して撮影イメージ生成方法を選択し、選択した方法によって撮影イメージを生成する方法について説明した。
一方、一実施形態により、撮影イメージ生成方法は、測定した照度値により決定できる。例えば、＜表１＞に示すように、所定の照度値又は照度範囲に対応する最終イメージ生成方法がマッピングされるマッピングテーブルは、撮影の際に照度値が測定される場合に最終イメージ生成方法の決定の参照のために格納することができる。
【００４３】
【表１】
0006392230.tif 000002
【００４４】
上記したように本発明の実施形態は、多様な方法で実現することができる。例えば、本発明の実施形態は、ハードウェア、ソフトウェア、又はそれらの組み合わせを用いて実現され得る。本発明の実施形態がソフトウェアで実現される場合、多様なオペレーティングシステム（ＯＳ）又はプラットフォームを用いる一つ以上のプロセッサで実行されるソフトウェアで実現することができる。さらに、このようなソフトウェアは、複数の適合したプログラミング言語の中から任意の一つを使用して作成でき、またフレームワーク又は仮想マシンで実行される実行可能な機械語コード又は中間コードでコンパイルすることができる。
【００４５】
また、本発明の実施形態は、一つ以上のプロセッサで実行される場合、上記した実施形態を実現する方法を遂行するための一つ以上のプログラムが記録されたプロセッサ読み取り可能な記録媒体（例えば、メモリ、フロッピー（登録商標）ディスク、コンパクトディスク、光ディスク、及び磁気テープ）で実現することができる。
【００４６】
以上、本発明の詳細な説明においては具体的な実施形態に関して説明したが、多様な変換及び変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００４７】
８１０  制御部
８２０  照度測定部
８３０  イメージ獲得部
８４０  センサ部
８５０  メモリ部
８６０  入力部
８７０  ディスプレイ部
【図１】
0006392230.tif 000003
【図２ａ】
0006392230.tif 000004
【図２ｂ】
0006392230.tif 000005
【図３Ａ】
0006392230.tif 000006
【図３Ｂ】
0006392230.tif 000007
【図４】
0006392230.tif 000008
【図５Ａ】
0006392230.tif 000009
【図５Ｂ】
0006392230.tif 000010
【図６】
0006392230.tif 000011
【図７】
0006392230.tif 000012
【図８】
0006392230.tif 000013